(57)【要約】      （修正有）【課題】酒瓶から酒をガラスコップに誰でも容易に適量を注ぐことを可能とする注口補助具を提供する。【解決手段】本体部の上部に酒瓶１の口に挿入したときに所定の位置で固定できように瓶の口より大きい固定フランジ８と、固定フランジの下部には複数の抜け防止用の補助フランジからなり、補助具本体の内部には固定フランジから補助具本体の下部に通じる細孔を貫通させた貫通部を具える。さらに、貫通部に隣接する補助具本体内部には空隙を設け、補助具本体内部の空隙部の上部と中空の円筒形からなる注ぎ口６とを接続して構成する。【選択図】図１
0003159427.tif 000002
【実用新案登録請求の範囲】
【請求項１】
酒瓶の口に挿入し使用する補助具であって、本体部の上部に酒瓶の口に挿入したときに所定の位置で固定できように瓶の口より大きい固定フランジと、固定フランジの下部には複数の抜け防止用の補助フランジを具え、本体部の内部には固定フランジ上面から補助具本体の下部に通じる細孔を貫通させた貫通部を具え、貫通部に隣接する本体内部には空隙を設け、本体内部の空隙部の上部と中空の円筒形からなる注ぎ口を接続したことを特徴とする酒瓶容器の注口補助具。
【請求項２】
固定フランジと、補助フランジと、補助具本体と、中空の円筒形からなる注ぎ口は透過性の樹脂からなることを特徴とする請求項１記載の酒瓶容器の注口補助具。
【請求項３】
本体部の内部に設けた固定フランジ上面の空気導入孔から補助具本体の下部に貫通したさせた貫通孔と補助具本体の下部より２０ｍｍ〜３０ｍｍの位置まで伸長させた中空ノズルの細孔とを連結させたことを特徴とする請求項１または請求項２記載の酒瓶容器の注口補助具。
【考案の詳細な説明】
【技術分野】
【０００１】
本考案は、酒瓶の酒をコップに適量を注ぐことが容易な注口補助具に関するものである。
【背景技術】
【０００２】
新酒、地酒等の出来栄えを競う鑑評会およびきき酒が全国各地で盛んに開催されている。鑑評会およびきき酒会は、複数の審査員が審査の対象の酒瓶からガラスコップに注いだ酒を順次口に少量含み、匂いと味を確かめて審査する方法が取られている。
【０００３】
鑑評会およびきき酒会では、酒が注がれたガラスコップを複数の審査員が順に口に少量含み、ガラスコップの酒が少なくなれば注ぎ足して審査を続けることから同じガラスコップを複数の審査員がそのまま使用することが繰り返されていた。
【０００４】
近年、感染症と呼ばれるウイルス性の病気の予防に対して関心が高まっており、また新型インフルエンザに代表されるように人々が感染した時抗体を持たない病気が発生していることから衛生面に対する人々の要求が高まっている。
【０００５】
ガラスコップを複数の審査員に個別に配布し、各自が酒瓶よりガラスコップに注いで審査することも１つの方法であるが、注ぎすぎてこぼしたり、少量であれば審査に支障が生じる問題がある。
【０００６】
適用を無理なく注ぐためには、酒瓶の瓶口部に補助具を取り付け酒瓶から酒を注ぐときに適量が注がれる補助具が求められる。吐出量を制限するためにドレッシング用容器の蓋体補助具があるが、吐出量を制限できるのみで適量が注げるものではない欠点がある。
【０００７】
内容物を適量取り出すことができるキャップが紹介されているが、構造も複雑であり、また継続して吐出させることができない欠点があり、適量注ぐという目的を達成できない問題がある。
【先行技術文献】
【特許文献】
【０００８】
【特許文献１】実開平７−４２７４９号公報
【特許文献２】特開２００６−１８１１１７号公報
【考案の概要】
【考案が解決しようとする課題】
【０００９】
解決しようとする問題点は、酒瓶よりガラスコップに酒を注ぐときに適量を誰でも容易に且つ確実に注ぐことができない点である。
【課題を解決するための手段】
【００１０】
本考案は、酒瓶の瓶口部に注ぎ口と細孔が貫通した空気供給ノズル部を供えた補助具を挿入し、瓶を傾けてガラスコップに酒を注いだ時に空気供給ノズル部内の細孔が酒瓶からの酒の吐出量を少なくしたことを最も主要な特徴とする。
【考案の効果】
【００１１】
本考案の注ぎ口と細孔が貫通した空気供給ノズル部を供えた補助具は、酒瓶から酒が吐出する胴管部と空気を供給する酒瓶に供給するノズル部とは隔離されており、
ノズル部の細孔から供給される空気量と酒瓶から吐出する酒の量とは比例することからノズル部の細孔の径を適切な大きさにすることにより吐出量を変えることができるという利点がある。
【図面の簡単な説明】
【００１２】
【図１】図１は補助具を酒瓶の口部に装着し、ガラスコップに酒が注がれる状態を示した説明図である。（実施例１）
【図２】図２は補助具の外観を示した説明図である。
【図３】図３は補助具の断面構造を示した説明図である。
【図４】図４は補助具の空気孔をシールで塞いだ状態を示す説明図である。（実施例２）
【考案を実施するための形態】
【００１３】
酒瓶の酒をガラスコップに酒瓶の口部から漏れだすことなく、また適量を容易に誰にでも注ぐという目的を、最小の部品点数で、酒瓶の口部から大きくはみ出すことなく
実現した。
【実施例１】
【００１４】
図１は、本考案補助具７を酒瓶１に挿入シガラスコップ２に酒３を人の手５で注ぎ口補助具７の注ぎ口６から注ぐ状態を示した１実施例である。
【００１５】
図２は、注口補助具７の構造を示している。補助具７の内部には、空気導入孔９と中空ノズル１１につながる空気導入細孔１２を具えている。補助具７の上部には固定フランジ８、側面には補助フランジ１０を具えている。フランジ８の中央には注ぎ口６を設けている。
【００１６】
図３は、注口補助具７の断面構造図である。補助具７の内部は補助具底部から注ぎ口６の注ぎ口の中空部１３につながる空隙部１４となっている。
【００１７】
注口補助具７を酒瓶１の瓶口４に挿入する。固定フランジ８が瓶口４の直径より大きいことから固定フランジ８がストッパーの役目を果たす。また、補助フランジ１０が瓶口４と密着し、注口補助具７が固定され、瓶口４と注口補助具７との隙間を塞ぐことができる。
【００１８】
注口補助具７を酒瓶１に挿着することで空気導入細孔１２から供給される空気の量で注ぎ口６の中空部１３を通過して注がれる酒の量を適量に保つことができる。
【実施例２】
【００１９】
図３の実施例は、注口補助具７の空気導入孔９をシール１５で塞いだ実施例である。注口補助具７の空気導入孔が塞がれたことにより酒瓶１を傾けてガラスコップに酒
３を注いだ時に酒瓶１の内部に空気が供給されないことがら、注ぎ口６から注がれる
酒３は僅かになる。
【産業上の利用可能性】
【００２０】
酒瓶の口に挿入し使用するでき、酒瓶の口に挿入したときに所定の位置で固定できように瓶の口より大きい固定フランジと、固定フランジの下部には複数の抜け防止用の補助フランジを具たことで酒瓶の口と密着し、酒瓶を傾けてガラスコップに酒を注いだときに補助具の円筒形からなる注ぎ口から適量の酒を注ぐことができる。
【符号の説明】
【００２１】
１    酒瓶
２    ガラスコップ
３    酒
４    酒瓶の瓶口
５    人の手
６    注ぎ口
７    注口補助具
８    固定フランジ
９    空気導入孔
１０    補助フランジ
１１    中空ノズル
１２    空気導入細孔
１３    注ぎ口の中空部
１４    空隙部
１５    シール
【図１】
0003159427.tif 000003
【図２】
0003159427.tif 000004
【図３】
0003159427.tif 000005
【図４】
0003159427.tif 000006